(57)【要約】【課題】  病気などの非常事態にある人や幼い子どもでも、簡単かつ確実に、自己の安否を知らせるメールを家族等に送信できるようにする。【解決手段】  予め指定された定型文メールを特定の相手に送信する電話装置１，２は、  メールの送信を指示する操作・表示部１２，２２によって特定の操作を行ったとき、メール送信指示を行った時間帯に対応する定型文メールを予め指定された特定の相手に送信するように制御する制御部１１を備える。【選択図】  図１
2009200856.tif 000002
【特許請求の範囲】
【請求項１】
予め指定された定型文メールを特定の相手に送信する通信装置であって、
メールの送信を指示する操作手段と、
前記操作手段によって特定の操作を行ったとき、メール送信指示を行った時間帯に対応する定型文メールを予め指定された特定の相手に送信するように制御する制御手段と、を備えたことを特徴とする通信装置。
【請求項２】
所定の時間帯に予め指定されたメールを特定の相手に送信するために、送信時間帯、定型文メールの内容、相手先アドレスを登録する登録手段を備えたことを特徴とする請求項１に記載の通信装置。
【請求項３】
送信時間帯に応じて送信内容が異なる定型文メールを記憶する記憶手段を備えたことを特徴とする請求項１または請求項２に記載の通信装置。
【発明の詳細な説明】
【技術分野】
【０００１】
本発明は、送信指示を行った時間帯に基づいて、特定の相手に予め指定された定型文メールを送信するようにした通信装置に関するものである。
【背景技術】
【０００２】
近年、メール送信機能を有する電話機の中には、特定の相手のメールアドレスを登録しておき、必要に応じて簡単な操作でメール送信できるようにしたものがある。例えば、下記の特許文献１（特開２００３−６０７７３号公報）には、１つの特別登録キーを設け、そのキーに対応させて一人の相手先のメールアドレスを含む各種情報を登録しておき、そのキーを押下することにより特定の相手先の情報が読み出して、メール送信等が簡単にできるようにした電話機が示されている。
【０００３】
また、下記の特許文献２（特開２００３−９９３６８号公報）には、特定の相手に対して、メールアドレスとメール文を前もって登録しておき、必要に応じて特定キーとしてのモードキーからの簡単な操作でメール送信できるようにした携帯電話が示されている。このようにすれば、メール送信操作の不得手な人でも、簡単にメール送信ができるようになる。
【特許文献１】特開２００３−６０７７３号公報（段落［００１１］〜段落［００１２］、段落［００１７］〜段落［００１９］、図１、図４）
【特許文献２】特開２００３−９９３６８号公報（段落［００２４］、図４、図５）
【発明の開示】
【発明が解決しようとする課題】
【０００４】
ところで、近年一人暮しや共働きの家庭が増えるにあたって、一人で生活している家族等の様子や安否をいち早く知りたいという要望がある。そのような要望に応えるため、上記従来のメール送信機能を有する電話機を利用しようとする場合、特許文献１に示されるようなものでは、安否を知らせるためのメール文を入力する必要があって手間がかかる。それに対して、特許文献２に示されるようなものでは、安否を知らせるためのメール文を前もって登録しておけば、それを選択するだけで、安否を知らせるメールを家族等に送信することができる。
【０００５】
しかしながら、特許文献２に示されるようなものでも、メール送信機能を選択するための操作をした上で、メール文を選択する操作が必要で、病気などの非常事態にある人や幼い子どもにとってはそのような操作をするのが困難な場合もあるという問題点があった。
【０００６】
本願の発明者は上記の問題点を解消すべく種々検討を重ねた結果、所定時間帯にメール送信操作が行われた場合に、時間帯に応じた所定の定型文メールを特定の相手に自動送信するようになせば、上記の問題点を解消し得ることを想到し本発明を完成するに至ったものである。
【０００７】
すなわち、本発明は、上記の問題点を解消することを課題とし、ユーザの簡単な操作によって事前登録されている定型文を事前登録されている相手先に電子メールで送信できるようにすることを目的とするものである。
【課題を解決するための手段】
【０００８】
前記課題を解決するため、本願の請求項１に係る発明は、予め指定された定型文メールを特定の相手に送信する通信装置であって、メールの送信を指示する操作手段（例えば下記実施例では、操作・表示部１２に相当する）と、前記操作手段によって特定の操作を行ったとき、メール送信指示を行った時間帯に対応する定型文メールを予め指定された特定の相手に送信するように制御する制御手段（例えば下記実施例では、制御部１１に相当する）と、を備えたことを特徴とする。
また、本願の請求項２に係る発明は、請求項１に係る通信装置において、所定の時間帯に予め指定されたメールを特定の相手に送信するために、送信時間帯、定型文メールの内容、相手先アドレスを登録する登録手段（例えば下記実施例では、操作・表示部１２に相当する）を備えたことを特徴とする。
【０００９】
また、本願の請求項３に係る発明は、請求項１または請求項２に係る通信装置において、  送信時間帯に応じて送信内容が異なる定型文メールを記憶する記憶手段（例えば下記実施例では、メモリ１３に相当する）を備えたことを特徴とする。
【発明の効果】
【００１０】
本発明の通信装置は、次のような効果を奏する。すなわち、請求項１に係る発明においては、メールの送信を指示する操作手段によって特定の操作を行ったとき、制御手段は、メール送信指示を行った時間帯に対応する定型文メールを予め指定された特定の相手に送信するように制御するようにする。
【００１１】
このような構成によれば、病気などの非常事態にある人や幼い子どもでも、簡単かつ確実に、自己の安否を知らせるメールを家族等の特定の相手に送信できるようになる。
【００１２】
また、請求項２に係る発明においては、請求項１に係る通信装置において、登録手段が所定の時間帯に予め指定されたメールを特定の相手に送信するために、送信時間帯、定型文メールの内容、相手先アドレスを登録するようにする。
【００１３】
このような構成によれば、所望の送信時間帯、定型文メールの内容、相手先アドレスを予め登録しておけば、病気などの非常事態にある人や幼い子どもでも、簡単かつ確実に、自己の安否を知らせるメールを家族等の特定の相手に送信できるようになる。
【００１４】
また、請求項３に係る発明においては、請求項１または請求項２に係る通信装置において、記憶手段に送信時間帯に応じて送信内容が異なる定型文メールを記憶するようにする。
【００１５】
このような構成によれば、メールサーバに各種条件を設定しなくても、通信装置から簡単かつ確実に、自己の安否を知らせるメールを家族等の特定の相手に送信できるようになる。
【発明を実施するための最良の形態】
【００１６】
以下、本発明の具体例を実施例及び図面を用いて詳細に説明する。但し、以下に示す実施例は、本発明の技術思想を具体化するための通信装置を例示するものであって、本発明をこの通信装置に特定することを意図するものではなく、特許請求の範囲に含まれるその他の実施形態の通信装置にも等しく適用し得るものである。
【実施例】
【００１７】
図１は、本発明の一実施例に係るメール配信システムの概略構成を示す図である。メール配信システムは、コードレス電話装置１，２、固定電話機３、携帯電話機４、Ｌモードセンタ５などを備えており、コードレス電話装置の親機１、固定電話機３、携帯電話機４、およびＬモードセンタ５はインターネット網６を介して接続された構成をなしている。
【００１８】
ここで、コードレス電話装置１，２と固定電話機３は、例えば、Ｌモード機能を有する電話装置であって、電子メール機能を備えており、親機１又は子機２からインターネット網６に接続されたＳＭＴＰ（Ｓｉｍｐｌｅ  Ｍａｉｌ  Ｔｒａｎｓｆｅｒ  Ｐｒｏｔｏｃｏｌ）サーバを備えたＬモードセンタ５を介して他の固定電話機３や携帯電話機４等とメールの送受信を行うことができる他、通常の通話の行うことができるようになっている。
【００１９】
また、本発明のコードレス電話装置１，２は、後述するように、予め選択された定型文のメールを簡単な操作で予め設定されている送信先へメール送信する機能を備えている。特に、所定の時間帯にメールの送信操作を行った際に、メールの送信先として設定されている相手に対して、所定の定型文メールを送信するようにしている。
【００２０】
次に、本発明の一実施例に係るコードレス電話装置の構成について説明する。図２は、本発明の一実施例に係るコードレス電話装置の親機１の概略構成を示すブロック図である。親機１は、制御部１１、操作・表示部１２、メモリ１３、音声入出力部１４、通信制御部１５、音声信号処理部１６、無線通信部１７、アンテナ１８を備えて構成されている。なお、制御部１１は本発明の制御手段に相当し、操作・表示部１２は本発明の操作手段と登録手段に相当する。
【００２１】
制御部１１は、マイクロプロセッサを中心に構成され、一般的なコンピュータ装置と同様に、図示していないＲＯＭ、ＲＡＭを備えている。ＲＯＭには各部動作を制御するプログラムを記憶しており、ＲＡＭには制御部１１の動作に必要な情報を記憶する。
【００２２】
操作・表示部１２は、テンキーを含む各種キー、液晶パネルなどのディスプレイにより構成され、各種キーは電話番号の入力やメールの入力等に用いられ、種々の機能を選択したり設定したりする際にも用いられる。また、ディスプレイには電話帳から読み出した相手先の電話番号や名称、通話時間、通話料金が表示される他、受信したメールを表示することもできる。
【００２３】
さらに本発明では、操作・表示部１２は、後述するように、メールの送信先として特定の相手先のメールアドレスを登録したり、メールの送信内容としてメール定型文やメールの送信時間帯を選択したりするためのブラウザが表示され、登録内容の選択、編集を行うために用いられる。また、予め登録した特定の相手先に所定の定型文をメール送信するように指示するために用いられる。
【００２４】
メモリ１３は、親機１の各種機能の設定状況が記憶される他、ユーザが操作・表示部１２から入力する電話帳、短縮ダイヤル等の登録情報を記憶することができる。音声入出力部１４は、マイクを介して送話音声を入力したり、スピーカを介して受話音声を出力したりする。通信制御部１５は、インターネット網６と接続されており、通話回線からの着信、通話回線への発信を制御するほかに、通信相手先（例えば、固定電話機３など）に対するメールの送信を行う。
【００２５】
音声信号処理部１６は、通信制御部１５からの受話音声信号を処理して音声入出力部１４を介して出力し、あるいは、音声入出力部１４を介して入力された送話音声を処理して音声信号に変換して通信制御部１５へ送出する。無線通信部１７は、アンテナ１８を介して子機２との間に無線による通話リンクを確立させて、子機２との間で発信信号、着信信号、送話音声信号、受話音声信号の送受信を行う。
【００２６】
図３は、本発明の一実施例に係るコードレス電話装置の子機２の概略構成を示すブロック図である。子機２は、制御部２１、操作・表示部２２、メモリ２３、音声入出力部２４、音声信号処理部２５、無線通信部２６、アンテナ２７を備えて構成されている。なお、操作・表示部２２は本発明の操作手段と登録手段に相当する。
【００２７】
制御部２１は、マイクロプロセッサを中心に構成され、一般的なコンピュータ装置と同様に、図示していないＲＯＭ、ＲＡＭを備えている。ＲＯＭには各部動作を制御するプログラムを記憶しており、制御部２１が親機１と通信するためのプログラムなども書き込まれている。ＲＡＭには制御部２１の動作に必要な情報を記憶する。
【００２８】
操作・表示部２２は、テンキーを含む各種キー、液晶パネルなどのディスプレイにより構成され、各種キーは電話番号の入力やメールの入力等に用いられ、種々の機能を選択したり設定したりする際にも用いられる。さらに本発明では、親機１の操作・表示部１２と同じく、予め登録した特定の相手先に所定の定型文をメール送信するように指示するために用いられる。また、特定の相手先のメールアドレスを登録したり、メール定型文やメールの送信時間帯を選択したりするためのブラウザが表示され、登録内容の選択、編集を行うこともできる。
【００２９】
メモリ２３は、子機２の各種機能の設定状況が記憶される他、ユーザが操作・表示部２２から入力する電話帳、短縮ダイヤル等の登録情報を記憶することができる。音声入出力部２４は、マイクを介して送話音声を入力したり、スピーカを介して受話音声を出力したりする。音声信号処理部２５は、無線通信部２６からの受話音声信号を処理して音声入出力部２４を介して出力し、あるいは、音声入出力部２４を介して入力された送話音声を処理して音声信号に変換して無線通信部２６へ送出する。無線通信部２６は、アンテナ２７を介して親機１との間に無線による通話リンクを確立させて、親機１との間で発信信号、着信信号、送話音声信号、受話音声信号の送受信を行う。
【００３０】
このように構成されたコードレス電話装置１，２は、さらに、メール送信機能として、特定の相手に対して、所定の時間帯に応じてメール送信すべき内容を複数の定型文の中から前もって選択しておき、必要に応じて親機１または子機２からの簡単な操作でメール送信できるようにした機能（以下、この機能を時間帯別定型文メール機能という）を有している。
【００３１】
そのため、親機１はインターネット網６に接続されているＬモードセンタ５と接続し、操作・表示部１２または２２に表示されたブラウザから所定の時間帯にメール送信すべき相手のメールアドレスとメール定型文を登録、選択してＬモードセンタ５内に保存させる機能を有している。その際、送信する相手は、一人に限らず複数の相手に送信するようにしてもよく、その場合は、複数のメールアドレスを設定保存させておく。それらメールアドレスと送信時間帯に応じたメール定型文の保存は次のようにして行う。
【００３２】
親機１の操作・表示部１２に設けられた所定のキーを押下して時間帯別定型文メールの設定ブラウザを立ち上げてメール設定モードに入り、まず、相手のメールアドレスをＬモードセンタ５内の記憶手段（図示せず）に登録する。メールアドレスの登録は、メモリ１３に予め記憶されている電話帳から選択してもよいし、操作・表示部１２から新規に入力してもよい。そして、Ｌモードセンタ５内の記憶手段から読み出して操作・表示部１２のディスプレイに表示された複数の定型文の中から登録した相手に送信すべきメール本文を一つ選択し、選択されたメール本文の送信可能時間として操作・表示部１２から入力した送信時間帯と対応付けてＬモードセンタ５内の記憶手段に設定する。
【００３３】
図４は、本発明の一実施例に係る記憶手段に設定されたメール定型文と送信時間帯の対応関係の一例を示す図である。図４（Ａ）に示す例では、子どもから共働きの両親にメールを送る場合に、９時から１６時までの時間帯であれば、病気で早く帰宅したことを知らせるメールとして定型文の中から「病気で早く帰りました」、１６時から１８時までの時間帯であれば、学校から帰ったことを知らせるメールとして「今学校から帰りました」などという送信メール本文が設定されている。
【００３４】
また、図４（Ｂ）に示す例では、一人暮しのＯＬから家族や友人にメールを送る場合に、９時から１８時までの時間帯であれば、会社を休んだことを知らせるメールとして定型文の中から「今日は会社を休みました」という送信メール本文が設定され、１８時から翌９時までの時間帯であれば、侵入者があったことを知らせるメールとして「助けて！」という送信メール本文が設定されている。なお、選択候補の定型文は、一定の文字数（例えば、最大全角３０文字）の範囲で、自由に編集できるようになっている。また、メール送信時の件名は、「お知らせ」とする。
【００３５】
このようにして、親機１において、時間帯別定型文メール機能の設定が行われると、時間帯別定型文メールの送信操作が可能な状態になる。時間帯別定型文メールの送信操作は、子機２から行うことができる。図５は、本発明の一実施例に係るメール送信時の子機の操作画面の一例を示す図である。すなわち、子機２において、ユーザによって操作・表示部２２のメニューキーが押下されると、図５（イ）に示すように、機能選択メニューの先頭に「定型文メール」メニューが表示される。そして、機能選択メニュー画面で「定型文メール」メニューが選択された状態で操作・表示部２２の決定キーが押されると、図５（ロ）に示すように、親機１へメールの送信要求が送信されるとともに、通信中である旨のメッセージが表示される。
【００３６】
親機１においてメールの送信要求の受付が完了すると、親機１から子機２に受付完了が通知されるとともに、親機１からＬモードセンタ５に対して、時間帯別定型文メールの送信先として設定されている相手に対して、所定の定型文メールを自動的に送信するようにメール送信要求が送信される。そして、子機２では、親機１から受付完了の通知を受けて、図５（ハ）に示すように、時間帯別定型文メールの送信を開始した旨のメッセージが表示され、スタンバイの状態に戻る。一方、メール送信操作で親機１との通信エラーが発生した等の何らかの理由でメールが送信できなかった場合は、図５（ニ）に示すように、送信ができなかった旨のメッツセージが表示される。なお、時間帯別定型文メールの送信操作は親機１からできるようにしてもよい。
【００３７】
そして、親機１からメール送信要求を受けたＬモードセンタ５では、要求を受けつけた時間帯に対応する定型文のメッセージが設定されていると、時間帯別定型文メールの送信先として設定されている相手に対して、定型文メールが自動的に送信される。その際、送信先として複数のアドレスが設定されている場合は、設定されている全てのアドレスに対して送信される。
【００３８】
例えば、図４（Ａ）に示す条件が予め設定されている場合に、１８時から２１時の間にユーザによって操作・表示部２２のメニューキーが押下され、機能選択メニュー画面で「定型文メール」メニューが選択された状態で操作・表示部２２の決定キーが押下られると、操作したユーザが定型文メールの内容を意識していなくても、「早く帰ってきて」というメッセージが送信先として設定されている父親の職場に設置されている固定電話機３や母親の所持する携帯電話機４などに送信される。
【００３９】
なお、時間帯別定型文メール送信時に、ＴＣＰ（Ｔｒａｎｓｍｉｓｓｉｏｎ  Ｃｏｎｔｒｏｌ  Ｐｒｏｔｏｃｏｌ）の接続でタイムアウトしたときのみ、所定時間（例えば５分）毎に再接続を、所定回数（例えば２回）試行し、所定回数試行しても送信できない場合はエラーとし、メール送信履歴にエラーコードを格納する。
【００４０】
また、そのメール送信履歴としては、最新の所定件数（例えば２０件）を残す。履歴として残す内容は、送信日時、件名、送信結果とする。送信結果としては、成功時には、「ＯＫ」、エラー時には、エラー内容を示す３桁のコードを表示する。
【００４１】
このように、時間帯別定型文メール機能を利用すれば、メール送信操作の不得手なユーザでも、メニューキーを押下して決定キーを押下するという２ステップの簡単なキー操作をするだけで、特定の人に対してメール送信ができるようになる。なお、上記実施例では、メニューキーが押下され、機能選択メニュー画面で「定型文メール」メニューが選択された状態で決定キーが押下されるという２ステップのキー操作によって時間帯別定型文メールを送信するようにしたが、それに限定されず、メニューキーの長押しを時間帯別定型文メール送信操作に割り当てることによって１ステップのキー操作で時間帯別定型文メールを送信できるようにしてもよい。
【００４２】
以上説明したように、本発明に係る通信装置によれば、所定時間帯に特定の操作を行ったとき、時間帯に応じた所定の定型文メールを特定の相手に自動送信するようにしたので、病気などの非常事態にある人や幼い子どもでも、簡単かつ確実に、安否を知らせるメールを家族等に送信できるようになるので、ユーザの利便性を向上させることができる。
【００４３】
なお、上記実施例では、インターネット網６に設けられたＬモードセンタ５において、時間帯別定型文メールを送信すべき相手のメールアドレス、メール送信時間帯とメール定型文が保存されている場合について説明したが、これに限ることなく、コードレス電話装置の親機１のメモリ１３に、メールの送信先として設定された相手先のメールアドレスと送信時間帯に応じたメールの送信内容として選択されたメール定型文を記憶してもよい。
【００４４】
また、上記実施例では、通信装置としてＬモード機能を有するコードレス電話装置について説明したが、これに限ることはなく、ＩＰ電話機、携帯電話機等、メールが送信できる機能を有する電話機であれば、本発明は同様に適用することができる。
【図面の簡単な説明】
【００４５】
【図１】本発明の一実施例に係るメール配信システムの概略構成を示す図である。
【図２】本発明の一実施例に係るコードレス電話装置の親機の概略構成を示すブロック図である。
【図３】本発明の一実施例に係るコードレス電話装置の子機の概略構成を示すブロック図である。
【図４】本発明の一実施例に係る記憶手段に設定されたメール定型文と送信時間帯の対応関係の一例を示す図である。
【図５】本発明の一実施例に係るメール送信時の子機の操作画面の一例を示す図である。
【符号の説明】
【００４６】
１，２・・・・コードレス電話装置
３・・・・固定電話機
４・・・・携帯電話機
５・・・・Ｌモードセンタ
６・・・・インターネット網
１１，２１・・・・制御部
１２，２２・・・・操作・表示部
１３，２３・・・・メモリ
１４，２４・・・・音声入出力部
１５・・・・通信制御部
１６，２５・・・・音声信号処理部
１７，２６・・・・無線通信部
１８，２７・・・・アンテナ
【図１】
2009200856.tif 000003
【図２】
2009200856.tif 000004
【図３】
2009200856.tif 000005
【図４】
2009200856.tif 000006
【図５】
2009200856.tif 000007